(57)【要約】【課題】装身具の第１の部位と第２の部位とを容易に連結および連結解除をすることができる連結軸および連結方法を提供すること、また、前記連結軸を備えた腕時計を提供すること。【解決手段】連結軸３２は、対向して設けられた２つの軸受４５ａ、４５ｂを有する外装部２と、２つの軸受４５ａ、４５ｂの間に挿入する挿入部４１と、挿入部４１を貫通する貫通孔４８とを有するバンド４とを備える時計１の貫通孔４８に挿通されて、外装部２とバンド４とを連結するものである。この連結軸３２は、中空部３３２を有する本体３３と、中空部３３２に挿入されるピン３４と、連結軸３２の全長が伸長する方向に本体３３とピン３４とを付勢する付勢手段と、前記全長が収縮した収縮状態と、該収縮状態のときよりも前記全長が伸長して、本体３３およびピン３４の端部がそれぞれ各軸受４５ａ、４５ｂに入り込む伸長状態とのぞれぞれの状態を維持する状態維持手段を備えている。【選択図】図３
2005329174.tif 000002
【特許請求の範囲】
【請求項１】
対向して設けられた２つの軸受を有する第１の部位と、前記２つの軸受の間に挿入する挿入部と、該挿入部を貫通する貫通孔とを有する第２の部位とを備える装身具の前記貫通孔に挿通されて、前記第１の部位と前記第２の部位とを連結する連結軸であって、
中空部を有する筒状体と、
前記中空部に挿入される柱状体と、
前記連結軸の全長が伸長する方向に前記筒状体と前記柱状体とを付勢する付勢手段と、
前記全長が収縮した収縮状態と、該収縮状態のときよりも前記全長が伸長して、前記筒状体および前記柱状体の端部がそれぞれ前記各軸受に入り込む伸長状態とのぞれぞれの状態を維持する状態維持手段を備えたことを特徴とする連結軸。
【請求項２】
前記状態維持手段は、前記筒状体の中空部の内周に設けられた雌ネジ部と、前記柱状体の外周に設けられ、前記雌ネジ部と螺合する雄ネジ部とで構成されている請求項１に記載の連結軸。
【請求項３】
一対の突起部と、該突起部における対向する２つの面にそれぞれ設けられた軸受とを有する第１の部位と、前記２つの軸受の間に挿入する挿入部と、該挿入部を貫通する貫通孔とを有する第２の部位とを備える装身具の前記貫通孔に挿通されて、前記第１の部位の突起部と前記第２の部位の挿入部とを連結する連結軸であって、
中空部と、該中空部の内周に設けられた雌ネジ部とを有する筒状体と、
前記中空部に挿入され、外周に前記雌ネジ部と螺合する雄ネジ部を有する柱状体と、
前記連結軸の全長が伸長する方向に前記筒状体と前記柱状体とを付勢する付勢手段とを備え、
前記筒状体および前記柱状体の一方が他方に対して回転することにより、前記全長が収縮した収縮状態と、該収縮状態のときよりも前記全長が伸長して、前記筒状体および前記柱状体の端部がそれぞれ前記各軸受に入り込む伸長状態とに変化可能であることを特徴とする連結軸。
【請求項４】
前記筒状体および前記柱状体の端部には、それぞれ、前記各軸受に挿入され、外径が縮径した縮径部が設けられている請求項３に記載の連結軸。
【請求項５】
前記突起部の２つの面の距離は、前記挿入部の幅とほぼ同等である請求項３または４に記載の連結軸。
【請求項６】
前記筒状体および前記柱状体の少なくとも一方の端部には、前記筒状体および前記柱状体の一方を他方に対して回転させるための工具が係合する係合部が設けられている請求項２ないし５のいずれかに記載の連結軸。
【請求項７】
前記係合部は、一文字状をなす溝で構成されている請求項６に記載の連結軸。
【請求項８】
前記付勢手段は、圧縮コイルバネで構成されている請求項１ないし７のいずれかに記載の連結軸。
【請求項９】
前記圧縮コイルバネは、前記筒状体の中空部内に設置されている請求項８に記載の連結軸。
【請求項１０】
請求項１ないし９のいずれかに記載の連結軸を用いて、前記第１の部位と前記第２の部位とを連結する方法であって、
前記連結軸を前記収縮状態とし、この状態で、前記第２の部位の挿入部を前記第１の部位の２つの軸受の間に挿入し、
次いで、前記連結軸をその軸方向に移動して、前記筒状体および前記柱状体の一方を前記軸受に押し付け、
次いで、前記筒状体および前記柱状体の他方を変位させて、前記連結軸を前記伸長状態とすることを特徴とする連結方法。
【請求項１１】
前記第１の部位は、腕時計用ケースであり、前記第２の部位は、腕時計用バンドである請求項１０に記載の連結方法。
【請求項１２】
請求項１ないし９のいずれかに記載の連結軸を備えたことを特徴とする腕時計。
【請求項１３】
前記第１の部位は、腕時計用ケースであり、前記第２の部位は、腕時計用バンドである請求項１２に記載の腕時計。
【発明の詳細な説明】
【技術分野】
【０００１】
本発明は、連結軸、連結方法および腕時計に関する。
【背景技術】
【０００２】
従来、腕時計において、時計用ケースとバンドとを連結する連結具としては、図９に示す連結具（連結具）が知られている。この連結具５４は、両端部において内径が縮径したパイプ５１と、パイプ５１の両端部にそれぞれ挿入される一対のピン５２と、パイプ５１の内腔部（中空部）に設けられ、２つのピン５２がそれぞれ、パイプ５１の両端部から突出するように、各ピン５２を付勢する圧縮コイルバネ５３とを備えている。
【０００３】
この連結具５４を用いて時計用ケースとバンドとを連結する場合には、まず、バンドの端部に設けられ、連結具５４が挿通する貫通孔（挿通孔）に連結具５４を挿通する。この状態で連結具５４をその軸方向に圧縮し、連結具５４の各ピン５２をパイプ５１に収容しつつ、連結具５４を時計用ケースにおける一対の突起５５の間に挿入する。そして、連結具５４に対する圧縮を解除することにより、各ピン５２をパイプ５１から突出させて、各ピン５２の端部を、それに対応する各突起５５の対向面に設けられた軸受５６に係合させる。
【０００４】
しかしながら、連結具５４は、微細な部品で構成されているため、これら構成部品が破損しやすい。また、時計用ケースとバンドとの連結においては、特殊な工具が必要であったり、連結具５４をその軸方向に圧縮する必要があったりする等、連結具５４の取扱いが煩わしい。このため、使用者が連結具５４を操作してバンドを交換するのはもとより、生産工場においても手際よく前記連結を行うのは困難であった。
【０００５】
そこで、近年、連結具をその軸方向に圧縮するとき、連結具の全長を容易かつ自在に調整可能な連結具が開示されている（例えば、特許文献１参照）。この連結具は、連結具本体の一端から突出し、前記連結具本体に対して伸縮自在な伸縮軸部を有している。この伸縮軸具には、使用者の指が係合可能な突起が設けられている。連結具を収縮するときには、前記突起に指を係合して、伸縮軸部を移動する。
しかしながら、この連結具には、前記突起が設けられているため、該突起が時計用ケースとバンドとの連結箇所から突出する。従って、腕時計の外観を損なうとともに、装着性を損なうという問題があった。
【０００６】
【特許文献１】実開昭６２−７９４１９号公報
【発明の開示】
【発明が解決しようとする課題】
【０００７】
本発明の目的は、装身具の第１の部位と第２の部位とを容易に連結および連結解除をすることができる連結軸および連結方法を提供すること、また、前記連結軸を備えた腕時計を提供することにある。
【課題を解決するための手段】
【０００８】
このような目的は、下記の本発明により達成される。
本発明の連結軸は、対向して設けられた２つの軸受を有する第１の部位と、前記２つの軸受の間に挿入する挿入部と、該挿入部を貫通する貫通孔とを有する第２の部位とを備える装身具の前記貫通孔に挿通されて、前記第１の部位と前記第２の部位とを連結する連結軸であって、
中空部を有する筒状体と、
前記中空部に挿入される柱状体と、
前記連結軸の全長が伸長する方向に前記筒状体と前記柱状体とを付勢する付勢手段と、
前記全長が収縮した収縮状態と、該収縮状態のときよりも前記全長が伸長して、前記筒状体および前記柱状体の端部がそれぞれ前記各軸受に入り込む伸長状態とのぞれぞれの状態を維持する状態維持手段を備えたことを特徴とする。
これにより、装身具の第１の部位と第２の部位とを容易に連結および連結解除をすることができる連結軸を提供することができる。
本発明の連結軸では、前記状態維持手段は、前記筒状体の中空部の内周に設けられた雌ネジ部と、前記柱状体の外周に設けられ、前記雌ネジ部と螺合する雄ネジ部とで構成されていることが好ましい。
これにより、簡単な構造で収縮状態と伸長状態とをより確実に維持することができる。
【０００９】
本発明の連結軸は、一対の突起部と、該突起部における対向する２つの面にそれぞれ設けられた軸受とを有する第１の部位と、前記２つの軸受の間に挿入する挿入部と、該挿入部を貫通する貫通孔とを有する第２の部位とを備える装身具の前記貫通孔に挿通されて、前記第１の部位の突起部と前記第２の部位の挿入部とを連結する連結軸であって、
中空部と、該中空部の内周に設けられた雌ネジ部とを有する筒状体と、
前記中空部に挿入され、外周に前記雌ネジ部と螺合する雄ネジ部を有する柱状体と、
前記連結軸の全長が伸長する方向に前記筒状体と前記柱状体とを付勢する付勢手段とを備え、
前記筒状体および前記柱状体の一方が他方に対して回転することにより、前記全長が収縮した収縮状態と、該収縮状態のときよりも前記全長が伸長して、前記筒状体および前記柱状体の端部がそれぞれ前記各軸受に入り込む伸長状態とに変化可能であることを特徴とする。
これにより、装身具の第１の部位と第２の部位とを容易に連結および連結解除をすることができる連結軸を提供することができる。
【００１０】
本発明の連結軸では、前記筒状体および前記柱状体の端部には、それぞれ、前記各軸受に挿入され、外径が縮径した縮径部が設けられていることが好ましい。
これにより、軸受の内径を小さくすることができ、よって、第１の部位に対して軸受が目立つのを防止することができる。従って、装身具の審美性を高めることができる。
本発明の連結軸では、前記突起部の２つの面の距離は、前記挿入部の幅とほぼ同等であることが好ましい。
これにより、挿入部と突起部との間隙の大きさを小さくすることができ、よって、装身具の審美性を高めることができる。
本発明の連結軸では、前記筒状体および前記柱状体の少なくとも一方の端部には、前記筒状体および前記柱状体の一方を他方に対して回転させるための工具が係合する係合部が設けられていることが好ましい。
これにより、工具を連結軸に確実に係合させることができる。
【００１１】
本発明の連結軸では、前記係合部は、一文字状をなす溝で構成されていることが好ましい。
これにより、工具を連結軸により確実に係合させることができる。
本発明の連結軸では、前記付勢手段は、圧縮コイルバネで構成されていることが好ましい。
これにより、簡単な構造で、筒状体と柱状体とを付勢する付勢力を得ることができる。
本発明の連結軸では、前記圧縮コイルバネは、前記筒状体の中空部内に設置されていることが好ましい。
これにより、簡単な構造で、筒状体と柱状体とを付勢する付勢力を得ることができる。
【００１２】
本発明の連結方法は、本発明の連結軸を用いて、前記第１の部位と前記第２の部位とを連結する方法であって、
前記連結軸を前記収縮状態とし、この状態で、前記第２の部位の挿入部を前記第１の部位の２つの軸受の間に挿入し、
次いで、前記連結軸をその軸方向に移動して、前記筒状体および前記柱状体の一方を前記軸受に押し付け、
次いで、前記筒状体および前記柱状体の他方を変位させて、前記連結軸を前記伸長状態とすることを特徴とする。
これにより、第１の部位と第２の部位とを容易に連結および連結解除をすることができる。
本発明の連結方法では、前記第１の部位は、腕時計用ケースであり、前記第２の部位は、腕時計用バンドであることが好ましい。
これにより、装身具の第１の部位と第２の部位とを容易に連結および連結解除をすることができる連結軸を備えた腕時計を提供することができる。
【００１３】
本発明の腕時計は、本発明の連結軸を備えたことを特徴とする。
これにより、装身具の第１の部位と第２の部位とを容易に連結および連結解除することができる。
本発明の腕時計では、前記第１の部位は、腕時計用ケースであり、前記第２の部位は、腕時計用バンドであることが好ましい。
これにより、装身具の第１の部位と第２の部位とを容易に連結および連結解除することができる。
【発明の効果】
【００１４】
本発明によれば、第１の部位と第２の部位とを容易に連結および連結解除することができる連結軸および連結方法を提供すること、また、前記連結軸を備えた腕時計を提供することができる。
【発明を実施するための最良の形態】
【００１５】
以下、本発明の連結軸、連結方法および腕時計を添付図面に示す好適な実施形態に基づいて詳細に説明する。
図１は、本発明の連結軸を備えた腕時計の斜視図、図２は、図１中のＡ−Ａ線断面図、図３は、図１中のＢ−Ｂ線断面図、図４は、図１に示す腕時計の側面図、図５〜図８は、それぞれ、本発明の連結軸を用いて腕時計用ケースと腕時計用バンドとを連結する方法を示す図である。
【００１６】
図１および図２に示すように、アナログ式腕時計（装身具）１（以下、単に「時計」という）は、外装部（腕時計用ケース（第１の部位））２と、該外装部２の内部に設置（収納）され、時計用針３１を駆動するムーブメント３と、時計１を腕に装着する際に用いられる腕時計用バンド（第２の部位）４（以下、単に「バンド」という）とを備えている。
図２に示すように、外装部２は、胴２３と、ガラス板（カバーガラス）２１と、ガラス板２１を保持するベゼル２２と、胴２３の裏側に設置される時計用裏蓋５（以下、単に「裏蓋」という）とを有している。
【００１７】
図２に示す胴２３には、巻真パイプ２６が嵌入され、この巻真パイプ２６に、りゅうず２４が回転可能に設けられている。りゅうず２４を回転させることにより、そのトルクがシャフト２７を介して、ムーブメント３に伝わる。これにより、時計用針３１を調整することができる、すなわち、表示する時刻を調整することができる。
胴２３とベゼル２２とは、互いにプラスチックパッキン２８により固定され、ベゼル２２とガラス板２１とは、互いにプラスチックパッキン２９により固定されている。
また、胴２３に対し裏蓋５が嵌合（または螺合）されており、これらの接合部（シール部）５０には、リング状のゴムパッキン（裏蓋パッキン）３０が圧縮状態で介挿されている。この構成によりシール部５０が液密に封止され、防水機能が得られる。
【００１８】
図３に示すように、連結軸３２は、中空部３３２を有する有底筒状をなす本体（筒状体）３３と、ピン（柱状体）３４と、圧縮コイルバネ（付勢手段）３５とを備えている。この連結軸３２は、外装部２とバンド４とを連結するのに用いられる。
本体３３は、底部（端部）３３１において、本体３３の中心軸の方向に突出し、外径が本体３３の外径よりも縮径した縮径部３６と、開口部３３３側において、中空部３３２の内周面（内周）３７に形成された雌ネジ（雌ネジ部）３８とを有する。
【００１９】
外装部２とバンド４とが連結された状態（以下、この状態を「連結状態」という）では、後述する外装部２の軸受４５ａに縮径部３６が挿入される。このような縮径部３６が形成されていることにより、軸受４５ａの内径を小さくすることができ、よって、外装部２に対して軸受４５ａが目立つのを防止することができる。従って、時計１の審美性を高めることができる。
【００２０】
ピン３４は、本体３３の中空部３３２に挿入されるように、その外径が本体３３（中空部３３２）の内径より若干小さく設定されている。ピン３４は、外側の端部３４１において、ピン３４の中心軸の方向に突出し、本体３３の縮径部３６のように外径が縮径した縮径部３９と、外周面（外周）３４２に形成され、雌ネジ３８と螺合する雄ネジ（雄ネジ部）４０とを有する。
連結状態では、後述する外装部２の軸受４５ｂに縮径部３９が挿入される。このような縮径部３９が形成されていることにより、軸受４５ｂの内径を小さくすることができ、よって、外装部２に対して軸受４５ｂが目立つのを防止することができる。従って、時計１の審美性を高めることができる。
【００２１】
また、縮径部３９の端面（端部）３９１には、例えば、マイナスドライバ４７のような工具と係合する係合溝（溝（係合部））４６が形成されている（図７参照）。この係合溝４６にマイナスドライバ４７が係合することにより、本体３３に対してピン３４を回転させることができる。これにより、連結軸３２の全長を容易に調節する（変化させる）ことができる。
【００２２】
図４に示すように、この係合溝４６は、側面視における形状が一文字状をなしている。これにより、マイナスドライバ４７を溝４６により確実に係合させることができる。
なお、本体３３の縮径部３６の外径と、ピン３４の縮径部３９の外径とは、ほぼ同等であるのが好ましい。これにより、軸受４５ａ、４５ｂのそれぞれの内径同士もほぼ同等とすることができ、よって、連結軸３２の取付方向（図３中の左右方向）を問わずに、連結軸３２を取り付ける（用いる）ことができる。
また、本体３３およびピン３４の構成材料としては、特に限定されないが、各種金属材料や各種プラスチック等を単独または組み合わせて用いることができる。
【００２３】
圧縮コイルバネ３５は、例えば鋼等の線材を芯棒等に巻き付けて形成された巻きバネである。圧縮コイルバネ３５は、本体３３の中空部３３２内に挿入（設置）されるように、その外径が本体３３の内径より若干小さく設定されている。また、圧縮コイルバネ３５は、連結軸３２の全長が伸長する方向（図３および図５中の左右方向）に本体３３とピン３４とを付勢するように、自由長が中空部３３の中心軸方向（長手方向）の長さより長く設定されている。すなわち、圧縮コイルバネ３５は、本体３３とピン３４とを付勢するように、圧縮コイルバネ３５の両端部がそれぞれ、本体３３およびピン３４に常時当接している。
【００２４】
このように、圧縮コイルバネ３５を用いることにより、簡単な構造で、本体３３とピン３４とを付勢する付勢力を得ることができる。
このような構成の連結軸３２は、ピン３４が本体３３に対して相対的に回転（変位）することにより、全長が収縮した収縮状態と、その収縮状態のときよりも全長が伸長する伸長状態とに変化可能である。
【００２５】
前述したように、ピン３４と本体３３とは、それぞれに形成されている雄ネジ４０および雌ネジ３８により螺合している。これにより、たとえ連結軸３２にその中心軸方向に外力が加わっても、収縮状態と伸長状態とを確実に維持することができる。すなわち、雄ネジ４０および雌ネジ３８は、前記各状態を維持する状態維持手段としての機能を有している。
【００２６】
また、この機能（状態維持手段）により、本体３３に対するピン３４の位置を任意に変位させることができるとともに、その位置における連結軸３２の状態を維持することができる。
また、圧縮コイルバネ３５によりピン３４と本体３３とが付勢されているため、雄ネジ４０と雌ネジ３８との螺合が弛緩するのが防止され、よって、前記各状態をより確実に維持することができる。
【００２７】
図３に示すように、伸長状態（連結状態）では、本体３３の縮径部３６およびピン３４の縮径部３９がそれぞれ各軸受４５ａ、４５ｂに入り込む。これにより、外装部２とバンド４とを容易かつ確実に連結することができる。また、たとえ外装部２に対してバンド４を引張るような外力、すなわち、外装部２とバンド４との連結を解除するような外力が加わっても、連結軸３２の伸長状態が維持されているため、本体３３の縮径部３６およびピン３４の縮径部３９がそれぞれ各軸受４５ａ、４５ｂから容易にはずれることが防止される。
【００２８】
ここで、外装部２とバンド４とが連結軸３２によって連結されるそれぞれの連結箇所について説明する。
図１に示すように、外装部２には、その縁部に設けられた一対の突起部４２ａ、４２ｂが２組設けられている。この一対の突起部４２ａ、４２ｂにより、後述するバンド４の挿入部４１が挿入（連結）される被挿入部４４が形成（構成）されている。
【００２９】
図３に示すように、突起部４２ａ、４２ｂは、それぞれが対向する２つの面４３ａ、４３ｂに軸受（軸孔）４５ａ、４５ｂが形成されて（設けられて）いる。すなわち、これら軸受４５ａ、４５ｂは、互いに対向して、突起部４２ａ、４２ｂに設けられている。
また、これら軸受４５ａ、４５ｂは、それぞれ、突起部４２ａ、４２ｂを貫通している。これにより、いずれの軸受４５ａ、４５ｂからもマイナスドライバ４７を挿入することができる。
【００３０】
図１に示すように、バンド４には、被挿入部４４（２つの軸受４５ａ、４５ｂの間）に挿入する挿入部４１がバンド４の両端部にそれぞれ設けられている。
図３に示すように、挿入部４１（バンド４）は、その幅方向（図３中の左右方向）に貫通する貫通孔４８を有している。連結状態では、連結軸３２が貫通孔４８に挿通（設置）され、外装部２とバンド４とが連結軸３２を軸として回動可能となる。
【００３１】
また、挿入部４１の幅（図３中のｗ２で示す長さ）は、突起部４２ａ、４２ｂの面４３ａ、４３ｂの距離（図３中のｗ１で示す長さ）とほぼ同等である。これにより、挿入部４１と被挿入部４４との間隙（クリアランス）の大きさを小さくすることができ、よって、時計１の審美性を高めることができる。
また、貫通孔４８の内径は、本体３３（連結軸３２）の外径より若干大きいのが好ましい。これにより、外装部２とバンド４とが確実に回動することができる。また、連結軸３２を貫通孔４８に容易に挿通することでき、よって、外装部２とバンド４との組立（連結）が容易に行われる。
【００３２】
次に、連結軸３２を用いて、外装部２とバンド４とを連結する方法（連結方法）について説明する。
まず、本体３３に対してピン３４を時計回りに回転させて、圧縮コイルバネ３５の付勢力に抗して，連結軸３２を収縮状態とする。
次いで、図５に示すように、収縮状態の連結軸３２をバンド４の貫通孔４８に挿入（挿通）する。このとき、連結軸３２を、その長さが貫通孔４８の長さとほぼ同等またはそれより短くなるようにする。これにより、連結軸３２の両端部（縮径部３６、３９）が貫通孔４８の両開口からそれぞれ突出するのが防止され、よって、バンド４の挿入部４１を外装部２の被挿入部４４に挿入するとき、この挿入を容易に行うことができる。
【００３３】
次に、前記の状態で、図５中の矢印方向に、バンド４の挿入部４１を外装部２の被挿入部４４に挿入する。このとき、連結軸３２の収縮状態は、本体３３の雌ネジ３８とピン３４の雄ネジ４０との螺合により維持されているため、従来の連結軸（連結具）ように連結軸の両端を挟持して、収縮状態を維持し続ける必要がない。従って、挿入部４１を被挿入部４４に容易に挿入することができる。すなわち、外装部２とバンド４との組立を容易に行うことができる。
また、図６に示すように、バンド４の挿入部４１を外装部２の被挿入部４４に挿入した際、連結軸３２の縮径部３６および縮径部３９は、それぞれ、軸受４５ａおよび４５ｂに対向するような位置に配置（設置）される。
【００３４】
次いで、図７に示すように、軸受４５ｂにマイナスドライバ４７の先端を挿入し、該先端を係合溝４６に係合させて、マイナスドライバ４７によって連結軸３２をその中心軸に方向に押圧（移動）する。そして、本体３３の底部３３１を面４３ａに当接させる（押し付ける）とともに、縮径部３６を軸受４５ａに係合させる（挿入する）。
その後、マイナスドライバ４７を用いてピン３４を反時計回りに回転させて、雌ネジ３８と雄ネジ４０との螺合を緩める。これにより、ピン３４が本体３３から突出する方向に移動（変位）するため、連結軸３２が伸長する。
【００３５】
さらに、ピン３４の反時計回りの回転を継続させて、連結軸３２を伸長状態とする。このとき、図８（図３）に示すように、連結軸３２は、ピン３４の段差部３４５が面４３ｂに当接するとともに、縮径部３９が軸受４５ｂに係合する。
以上に示す連結方法により、外装部２とバンド４とを容易に連結することができる。また、外装部２とバンド４との連結を解除するには、前記とは逆の操作（工程）を行うことにより，容易に連結解除をすることができる。また、連結軸３２を備えた時計１を得ることができる。
【００３６】
本発明の連結軸および連結方法によれば、挿入部４１の貫通孔４８に連結軸３２を収納した状態で、ピン３４を回転させて連結軸３２の長さを容易かつ自在に調整することができる。これにより、連結軸３２に素手にて伸縮操作可能な突起を設ける必要を無くすことができる。従って、時計１の外観を損なわずに、装着性を確保することができる。
また、本体３３およびピン３４を互いに離間させる方向に反発力を作用させる圧縮コイルバネ３５を本体３３の中空部３３２に備えるため、雌ネジ３８と雄ネジ４０との緩み（ネジ戻り、バックラッシュ）を防止し、外装部２からのバンド４の脱落を防止することできる。
【００３７】
また、マイナスドライバ４７によって連結軸３２の長さの調整が可能なため、外装部２とバンド４との連結に、特殊な工具（例えば、腕時計用バンドの着脱工具）を用いる必要なく、使用者が容易にバンド４を交換することができ、また、生産工場においても手際よく（容易に）外装部２とバンド４とを連結することができる。
また、雌ネジ３８と雄ネジ４０とが螺合することにより、連結軸３２の長さを無段階に変化させることができるため、１種類の連結軸３２によって、幅が異なる数種類のバンド４（被挿入部４４）に対応することができ、連結軸３２の種類削減および在庫削減にも寄与する。
【００３８】
また、ピン３４を回転させて連結軸３２の長さをバンド４の幅以下にすることにより、連結軸３２をバンド４の挿入部４１とともに、被挿入部４４に対して斜め方向から挿入する必要をなくすことができる。その結果、前記クリアランスを小さくすることができる。これにより、時計１の審美性を向上することができる。
また、連結軸３２をさらに伸長させて、連結軸３２の両端部、すなわち、本体３３の底部３３１およびピン３４の段差部３４５がそれぞれ、面４３ａ、４３ｂに強固に当接（圧着）した場合には、外装部２とバンド４との回動に抵抗を与えるような設定をすることができる。さらには、その回動を停止させるような設定もすることができる。
【００３９】
また、連結軸３２の両端面は、それぞれ、軸受４５ａ、４５ｂにおける外側の開口の位置とほぼ同等またはその位置より内側に位置しているのが好ましい。これにより、縮径部３６、３９が軸受４５ａ、４５ｂから外側に突出するのを防止することができ、よって、例えば、使用者の衣服に縮径部３６、３９が係止する（引っかかる）ことを防止することができる。
【００４０】
以上、本発明の連結軸、連結方法および腕時計について、図示の実施形態に基づいて説明したが、本発明はこれらに限定されるものではない。
例えば、前述した説明では、装身具としての腕時計に本発明の連結軸を適用する場合について説明したが、本発明の連結軸が適用される装身具としては、これに限定されず、ペンダントやブレスレットなど回転可能に連結される２つ以上の部材（部位）から構成される装身具が該当する。
【００４１】
また、腕時計は、アナログ式であるのに限定されず、デジタル式であってもよい。
また、係合部は、ピンの縮径部（端部）に設けられているのに限定されず、例えば、本体の縮径部（端部）に設けられていてもよいし、ピンの縮径部（端部）および本体の縮径部（端部）の双方に設けられていていてもよい。
また、係合部は、マイナスドライバに対応するように形成されているのに限定されず、例えば、六角レンチ（レンチ）、プラスドライバに対応するように形成されていてもよい。
【００４２】
また、本体の縮径部が挿入される軸受は、貫通するように形成されているのに限定されず、例えば、本体の縮径部が挿入されるだけ凹状をなすように形成されていてもよい。
また、軸受と本体の縮径部とは、互いに嵌合する（固定される）よう構成されているのが好ましい。これにより、ピンを回転させるときに、この回転に伴って本体が回転するのが防止される。
【図面の簡単な説明】
【００４３】
【図１】本発明の連結軸を備えた腕時計の斜視図である。
【図２】図１中のＡ−Ａ線断面図である。
【図３】図１中のＢ−Ｂ線断面図である。
【図４】図１に示す腕時計の側面図である。
【図５】本発明の連結軸を用いて腕時計用ケースと腕時計用バンドとを連結する方法を示す図である。
【図６】本発明の連結軸を用いて腕時計用ケースと腕時計用バンドとを連結する方法を示す図である。
【図７】本発明の連結軸を用いて腕時計用ケースと腕時計用バンドとを連結する方法を示す図である。
【図８】本発明の連結軸を用いて腕時計用ケースと腕時計用バンドとを連結する方法を示す図である。
【図９】従来の腕時計において時計用ケースと腕時計用バンドとを接続する連結具の断面図である。
【符号の説明】
【００４４】
１……アナログ式腕時計  ２……外装部（腕時計用ケース）  ３……ムーブメント  ４……バンド  ５……裏蓋  ２１……ガラス板  ２２……ベゼル  ２３……胴  ２４……りゅうず  ２６……巻真パイプ  ２７……シャフト  ２８、２９……プラスチックパッキン  ３０……ゴムパッキン  ３１……時計用針  ３２……連結軸  ３３……本体  ３３１……底部  ３３２……中空部  ３３３……開口部  ３４……ピン  ３４１……端部  ３４２……外周面  ３４５……段差部  ３５……圧縮コイルバネ  ３６……縮径部  ３７……内周面  ３８……雌ネジ  ３９……縮径部  ３９１……端面  ４０……雄ネジ  ４１……挿入部  ４２ａ、４２ｂ……突起部  ４３ａ、４３ｂ……面  ４４……被挿入部  ４５ａ、４５ｂ……軸受  ４６……係合溝  ４７……マイナスドライバ  ４８……貫通孔  ５０……シール部  ５１……パイプ  ５２……ピン  ５３……圧縮コイルバネ  ５４……連結具  ５５……突起  ５６……軸受
【図１】
2005329174.tif 000003
【図２】
2005329174.tif 000004
【図３】
2005329174.tif 000005
【図４】
2005329174.tif 000006
【図５】
2005329174.tif 000007
【図６】
2005329174.tif 000008
【図７】
2005329174.tif 000009
【図８】
2005329174.tif 000010
【図９】
2005329174.tif 000011